(57)【要約】【課題】聴衆に見苦しい印象を与えることなく、メモ書きや資料などの情報を発表者がプレゼンテーション中に簡便に参照することができるようにする。【解決手段】第一のパソコンと第二のパソコンとを通信可能に接続し、第一のパソコンに対して第一の映像の制御に関する操作入力が行われると、その操作入力を第二のパソコンの第二のプレゼンソフトに通知し、第二のプレゼンソフトは、前記操作入力に応じた制御を第二の映像について実行し、第一パソコンの第一のプレゼンソフトは、第一のパソコンに対して前記通知の対象とならない操作入力が行われると、メモ書きや資料などの情報を第一の表示装置に出力するようにする。【選択図】図１
2005345636.tif 000002
【特許請求の範囲】
【請求項１】
第一のプレゼンテーションソフトウエアが動作する第一のコンピュータと、
前記第一のコンピュータと通信可能に接続され第二のプレゼンテーションソフトウエアが動作する第二のコンピュータと、を含んで構成されるプレゼンテーションシステムを用いて行われるプレゼンテーション方法であって、
前記第一のプレゼンテーションソフトウエアは、前記第一のコンピュータに接続する第一の表示装置に第一の映像を出力し、
前記第二のプレゼンテーションソフトウエアは、前記第二のコンピュータに接続する第二の表示装置に第二の映像を出力し、
前記第一のプレゼンテーションソフトウエアは、前記第一のコンピュータに対し、前記第一の映像の制御に関する操作入力が行われると、前記操作入力を前記第二のプレゼンテーションソフトウエアに通知し、
前記第二のプレゼンテーションソフトウエアは、通知された前記操作入力に応じて前記第二の映像を制御し、
前記第一のプレゼンテーションソフトウエアは、前記第一のコンピュータに対して特定の操作入力が行われた場合には、前記第二のプレゼンテーションソフトウエアに対して前記通知を行わずに前記第一の映像を制御すること、
を特徴とするプレゼンテーション方法。
【請求項２】
請求項１に記載のプレゼンテーション方法であって、
前記第一のコンピュータには前記第一の映像として表示するための所定の情報が記憶され、
前記第一のプレゼンテーションソフトウエアは、前記第一のコンピュータに対して前記特定の操作入力が行われた場合には、前記情報を含んだ前記第一の映像を前記第一の表示装置に出力すること、
を特徴とするプレゼンテーション方法。
【請求項３】
請求項１に記載のプレゼンテーション方法であって、
前記第一のコンピュータは、前記第一の映像として表示するための複数のスライドを記憶しており、
前記第二のコンピュータは、前記第二の映像として表示するための複数のスライドを記憶しており、
前記第二のプレゼンテーションソフトウエアに対して通知される操作入力は、前記第一の表示装置に前記第一の映像として表示しているスライドの変更を指示するものであり、
前記第二のプレゼンテーションソフトウエアは、通知された前記操作入力に応じて、前記第二の表示装置に前記第二の映像として表示しているスライドを他のスライドに変更すること、
を特徴とするプレゼンテーション方法。
【請求項４】
請求項３に記載のプレゼンテーション方法であって、
前記第二のコンピュータは、前記第一のコンピュータが記憶している前記スライドと同一のスライドを記憶しており、
前記第一のプレゼンテーションソフトウエアは、第一の映像として第一の表示装置に出力しているスライドを特定する情報を第二のプレゼンテーションソフトウエアに通知し、
前記第二のプレゼンテーションソフトウエアは、前記通知があると、前記情報により特定されるスライドを前記第二の映像として前記第二の表示装置に出力すること、
を特徴とするプレゼンテーション方法。
【請求項５】
請求項１に記載のプレゼンテーション方法であって、
前記第一のプレゼンテーションソフトウエアは、前記第一のコンピュータに記憶されているファイルに基づき前記第一の映像を生成するものであり、
前記第一のプレゼンテーションソフトウエアは、ユーザからの情報の入力を受け付けて、受け付けた前記情報を前記ファイルに追記すること、
を特徴とするプレゼンテーション方法。
【請求項６】
請求項１〜５のいずれかに記載のプレゼンテーション方法であって、
前記第一の表示装置は、ディスプレイであり、
前記第二の表示装置は、プロジェクタであること、
を特徴とするプレゼンテーション方法。
【請求項７】
第一のプレゼンテーションソフトウエアが動作する第一のコンピュータと、
前記第一のコンピュータと通信可能に接続され第二のプレゼンテーションソフトウエアが動作する第二のコンピュータと、を含んで構成されるプレゼンテーションシステムであって、
前記第一のプレゼンテーションソフトウエアは、前記第一のコンピュータに接続する第一の表示装置に第一の映像を出力し、
前記第二のプレゼンテーションソフトウエアは、前記第二のコンピュータに接続する第二の表示装置に第二の映像を出力し、
前記第一のプレゼンテーションソフトウエアは、前記第一のコンピュータに対し、前記第一の映像の制御に関する操作入力が行われると、前記操作入力を前記第二のプレゼンテーションソフトウエアに通知し、
前記第二のプレゼンテーションソフトウエアは、通知された前記操作入力に応じて前記第二の映像を制御し、
前記第一のプレゼンテーションソフトウエアは、前記第一のコンピュータに対して特定の操作入力が行われた場合には、前記第二のプレゼンテーションソフトウエアに対して前記通知を行わずに前記第一の映像を制御すること、
を特徴とするプレゼンテーションシステム。
【請求項８】
請求項７に記載のプレゼンテーションシステムに用いられる前記第一のプレゼンテーションソフトウエアであって、
前記第一のコンピュータに、
前記第一のコンピュータに接続する第一の表示装置に第一の映像を出力する機能と、前記第一のコンピュータに対し、前記第一の映像の制御に関する操作入力が行われると、前記操作入力を前記第二のプレゼンテーションソフトウエアに通知する機能と、前記第一のコンピュータに対して特定の操作入力が行われた場合には、前記第二のプレゼンテーションソフトウエアに対して前記通知を行わずに前記第一の映像を制御する機能と、
を実現するためのプレゼンテーションソフトウエア。
【請求項９】
請求項７に記載のプレゼンテーションシステムに用いられる前記第二のプレゼンテーションソフトウエアであって、
前記第二のコンピュータに、
前記第二のコンピュータに接続する第二の表示装置に第二の映像を出力する機能と、
前記第一のプレゼンテーションソフトウエアから通知された前記操作入力に応じて前記第二の映像を制御する機能と、
を実現するためのプレゼンテーションソフトウエア。
【発明の詳細な説明】
【技術分野】
【０００１】
本発明は、パソコンなどのコンピュータを使って行われるプレゼンテーション方法、プレゼンテーションシステム、及びプレゼンテーションソフトウエアに関する。
【背景技術】
【０００２】
近年、企業の商品説明会や学会発表などにおいては、パソコンを使ったプレゼンテーションが盛んに行われている。パソコンを使ったプレゼンテーションは、発表者が事前にプレゼンテーションソフトウエアを用いてスライドを編集しておき、これをプレゼンテーション会場に持ち込んでプレゼンテーションを行うのが普通である。
【０００３】
プレゼンテーションに際しては、プレゼンテーション中に参照するためのメモ書きや資料などを、発表者が聴取に見せるスライドとは別に用意していることがある。また、特許文献１に開示されているように、プレゼンテーション中に参照するための情報をコンピュータに格納しておくようにしていることもある。
【特許文献１】特開平７−１５２３５４号公報
【発明の開示】
【発明が解決しようとする課題】
【０００４】
プレゼンテーション中に参照する情報をパソコンに格納しておくようにしている場合、これを参照する場合には、発表者はプレゼンテーション中にパソコンに対して情報を参照するための操作を行わなければならない。この場合、そのような操作を行っている様子やその内容が聴衆が見ているスクリーンにも投影されてしまい、その結果、聴衆に見苦しい印象を与えてしまうことになる。
【０００５】
本発明はこのような問題に鑑みてなされたもので、聴衆に見苦しい印象を与えることなくプレゼンテーション中に発表者が所定の情報を簡便に参照することができるプレゼンテーション方法、プレゼンテーションシステム、及びプレゼンテーションソフトウエアを提供することを目的とする。
【課題を解決するための手段】
【０００６】
上記目的を達成するための、本発明のうち請求項１に記載の発明は、第一のプレゼンテーションソフトウエアが動作する第一のコンピュータと、前記第一のコンピュータと通信可能に接続され第二のプレゼンテーションソフトウエアが動作する第二のコンピュータと、を含んで構成されるプレゼンテーションシステムを用いて行われるプレゼンテーション方法であって、前記第一のプレゼンテーションソフトウエアは、前記第一のコンピュータに接続する第一の表示装置に第一の映像を出力し、前記第二のプレゼンテーションソフトウエアは、前記第二のコンピュータに接続する第二の表示装置に第二の映像を出力し、前記第一のプレゼンテーションソフトウエアは、前記第一のコンピュータに対し、前記第一の映像の制御に関する操作入力が行われると、前記操作入力を前記第二のプレゼンテーションソフトウエアに通知し、前記第二のプレゼンテーションソフトウエアは、通知された前記操作入力に応じて前記第二の映像を制御し、前記第一のプレゼンテーションソフトウエアは、前記第一のコンピュータに対して特定の操作入力が行われた場合には、前記第二のプレゼンテーションソフトウエアに対して前記通知を行わずに前記第一の映像を制御することとする。
【０００７】
ここで第一のコンピュータ及び第二のコンピュータは、例えば、プレゼンテーション会場に設置されたり、発表者によって会場に持ち込まれたりするパソコンである。本発明のプレゼンテーション方法を実施する発表者は、プレゼンテーション中に第一のコンピュータの第一の表示装置に表示されている第一の映像を見ながら第一のコンピュータを操作する。第二のコンピュータに接続する第二の表示装置は、例えば、聴衆が見るスクリーンに映像を投影するプロジェクタである。聴衆に見せる映像（第二の映像）は、第二のコンピュータによって生成される。
【０００８】
本発明によれば、第一のプレゼンテーションソフトウエアは、第一のコンピュータに対し、前記第一の映像の制御に関する操作入力が行われると、その操作入力を第二のプレゼンテーションソフトウエアに通知する。ここで通知される操作入力は、例えば、第一の映像として表示されているスライドの変更を指示するものである。第二のプレゼンテーションソフトウエアは、第一のプレゼンテーションソフトウエアから通知された操作入力に応じて第二の映像を制御する。第二の映像の制御は、例えば、表示しているスライドを他のスライドに変更する制御である。このような仕組みによって、発表者は、第一のコンピュータに対して操作入力を行うだけで聴衆に見せる第二の映像を制御することができる。
【０００９】
一方、第一のプレゼンテーションソフトウエアは、第一のコンピュータに対して特定の操作入力が行われた場合には、第二のプレゼンテーションソフトウエアに対して前記の通知を行わずに第一の映像を制御する。ここで特定の操作入力とは、例えば、第一のコンピュータに記憶されているメモ書きや資料などを表示させるための操作入力であり、第一の映像の制御とは、これらメモ書きや資料などを第一の映像に含ませるような制御である。このように、特定の操作入力については第二のプレゼンテーションソフトウエアには通知せずに第一の映像が制御されるので、例えば、上記のようにメモ書きや資料などの情報を第一の表示装置に出力させた場合でも、そのための操作を行っている様子やメモ書きや資料の内容が第二の表示装置に出力されてしまうことがない。このため、発表者は、聴衆に見苦しい印象を与えることなく、メモ書きや資料などの情報をプレゼンテーション中に簡便に参照することができる。また、情報を不必要に聴衆に見られてしまうこともない。
【００１０】
本発明のうち請求項２に記載の発明は、請求項１に記載のプレゼンテーション方法であって、前記第一のコンピュータには前記第一の映像として表示するための所定の情報が記憶され、前記第一のプレゼンテーションソフトウエアは、前記第一のコンピュータに対して前記特定の操作入力が行われた場合には、前記情報を含んだ前記第一の映像を前記第一の表示装置に出力することとする。  
上記所定の情報とは、例えば、メモ書きや資料などの情報であり、本発明では、これらの情報は第一のプレゼンテーションソフトウエアの機能によって第一の映像として第一の表示装置に出力される。
【００１１】
本発明のうち請求項３に記載の発明は、請求項１に記載のプレゼンテーション方法であって、前記第一のコンピュータは、前記第一の映像として表示するための複数のスライドを記憶しており、前記第二のコンピュータは、前記第二の映像として表示するための複数のスライドを記憶しており、前記第二のプレゼンテーションソフトウエアに対して通知される操作入力は、前記第一の表示装置に前記第一の映像として表示しているスライドの変更を指示するものであり、前記第二のプレゼンテーションソフトウエアは、通知された前記操作入力に応じて、前記第二の表示装置に前記第二の映像として表示しているスライドを他のスライドに変更することとする。  
このように、操作入力とは、例えば、スライドの変更を指示するものである。また、第一の映像や第二の映像として表示される映像とは、例えば、プレゼンテーション用に作成されたスライドの映像である。
【００１２】
本発明のうち請求項４に記載の発明は、請求項３に記載のプレゼンテーション方法であって、前記第二のコンピュータは、前記第一のコンピュータが記憶している前記スライドと同一のスライドを記憶しており、前記第一のプレゼンテーションソフトウエアは、第一の映像として第一の表示装置に出力しているスライドを特定する情報を第二のプレゼンテーションソフトウエアに通知し、前記第二のプレゼンテーションソフトウエアは、前記通知があると、前記情報により特定されるスライドを前記第二の映像として前記第二の表示装置に出力することとする。  
本発明によれば、第一の映像として表示されているスライドと第二の映像として表示されているスライドとが一致していない場合であっても、発表者は、第一のプレゼンテーションソフトウエアの機能によって、第一の映像として表示されているスライドと第二の映像として表示されているスライドを一致させることができる。
【００１３】
本発明のうち請求項５に記載の発明は、請求項１に記載のプレゼンテーション方法であって、前記第一のプレゼンテーションソフトウエアは、前記第一のコンピュータに記憶されているファイルに基づき前記第一の映像を生成するものであり、前記第一のプレゼンテーションソフトウエアは、ユーザからの情報の入力を受け付けて、受け付けた前記情報を前記ファイルに追記することとする。  
本発明によれば、プレゼンテーション中にふと思いついた事や聴衆から受け付けた質問などをその場ですぐに書き留めておくことができる。
【００１４】
本発明のうち請求項６に記載の発明は、請求項１〜５のいずれかに記載のプレゼンテーション方法であって、前記第一の表示装置は、ディスプレイであり、前記第二の表示装置は、プロジェクタであることとする。
【００１５】
本発明のうち請求項７に記載の発明は、第一のプレゼンテーションソフトウエアが動作する第一のコンピュータと、前記第一のコンピュータと通信可能に接続され第二のプレゼンテーションソフトウエアが動作する第二のコンピュータと、を含んで構成されるプレゼンテーションシステムであって、前記第一のプレゼンテーションソフトウエアは、前記第一のコンピュータに接続する第一の表示装置に第一の映像を出力し、前記第二のプレゼンテーションソフトウエアは、前記第二のコンピュータに接続する第二の表示装置に第二の映像を出力し、前記第一のプレゼンテーションソフトウエアは、前記第一のコンピュータに対し、前記第一の映像の制御に関する操作入力が行われると、前記操作入力を前記第二のプレゼンテーションソフトウエアに通知し、前記第二のプレゼンテーションソフトウエアは、通知された前記操作入力に応じて前記第二の映像を制御し、前記第一のプレゼンテーションソフトウエアは、前記第一のコンピュータに対して特定の操作入力が行われた場合には、前記第二のプレゼンテーションソフトウエアに対して前記通知を行わずに前記第一の映像を制御することとする。
【００１６】
本発明のうち請求項８に記載の発明は、請求項７に記載のプレゼンテーションシステムに用いられる前記第一のプレゼンテーションソフトウエアであって、  前記第一のコンピュータに、前記第一のコンピュータに接続する第一の表示装置に第一の映像を出力する機能と、前記第一のコンピュータに対し、前記第一の映像の制御に関する操作入力が行われると、前記操作入力を前記第二のプレゼンテーションソフトウエアに通知する機能と、前記第一のコンピュータに対して特定の操作入力が行われた場合には、前記第二のプレゼンテーションソフトウエアに対して前記通知を行わずに前記第一の映像を制御する機能と、を実現することとする。
【００１７】
本発明のうち請求項９に記載の発明は、請求項７に記載のプレゼンテーションシステムに用いられる前記第二のプレゼンテーションソフトウエアであって、前記第二のコンピュータに、前記第二のコンピュータに接続する第二の表示装置に第二の映像を出力する機能と、前記第一のプレゼンテーションソフトウエアから通知された前記操作入力に応じて前記第二の映像を制御する機能と、を実現することとする。
【発明の効果】
【００１８】
本発明によれば、聴衆に見苦しい印象を与えることなく必要な情報をプレゼンテーション中に発表者が簡便に参照することができる。
【発明を実施するための最良の形態】
【００１９】
図１に本発明の一実施形態として説明するプレゼンテーションシステム１を示している。同図において、第一のパソコン１０及び第二のパソコン２０は、ノート型パソコンやデスクトップ型パソコンなどである。これらは、例えば、プレゼンテーション会場にあらかじめ設置されているものや、発表者によって会場に持ち込まれたものである。第一のパソコン１０（第一のコンピュータ）及び第二のパソコン２０（第二のコンピュータ）は、ＵＳＢ（Universal Serial Bus）規格の通信ケーブル３を介して互いに通信可能に接続されている。また、第二のパソコン２０には、スクリーン５に映像を投影するプロジェクタ３０（第二の表示装置）がディスプレイケーブル６を介して接続されている。
【００２０】
図２は第一のパソコン１０及び第二のパソコン２０のハードウエア構成である。第一のパソコン１０は、ＣＰＵ（Central Processing Unit）１１、ＲＡＭ／ＲＯＭなどのメモリ１２、ハードディスク１３、通信インタフェース１４、入力インタフェース１５、表示インタフェース１６、マウスやキーボードなどの入力装置１７、ディスプレイなどの表示装置１８などを備えている。通信インタフェース１４は、通信ケーブル３を介してＵＳＢ規格に従って通信を行う。入力インタフェース１５は、入力装置１７から送信されてくる操作入力信号を受信して、これをＣＰＵ１１に伝達する。表示インタフェース１６は、表示装置１８に映像を出力する。
【００２１】
第二のパソコン２０は、ＣＰＵ２１、ＲＡＭ／ＲＯＭなどのメモリ２２、ハードディスク２３、通信インタフェース２４、入力インタフェース２５、表示インタフェース２６、入力装置２７、表示装置２８などを備えている。これらの構成は、基本的に第一のパソコン１０が備えるものと同等である。プロジェクタ３０は、第二のパソコン２０の表示インタフェース２６に接続されている。第一のパソコン１０及び第二のパソコン２０は、以上の構成に加えて、フレキシブルディスクなどの磁気記録媒体読取装置、ＣＤ−ＲＯＭやＤＶＤ−ＲＯＭなどの光学式記録媒体の読取装置などを備えていることもある。
【００２２】
図３に第一のパソコン１０及び第二のパソコン２０において動作するソフトウエア（プログラム）を示している。第一のパソコン１０では、オペレーティングシステム３１が動作している。また、このオペレーティングシステム３１の制御下で第一のプレゼンテーションソフトウエア３２が動作している。第二のパソコン２０では、オペレーティングシステム４１が動作している。また、このオペレーティングシステム４１の制御下で第二のプレゼンテーションソフトウエア４２が動作している。なお、以下の説明では、第一のプレゼンテーションソフトウエア３２のことを第一のプレゼンソフト３２と、第二のプレゼンテーションソフトウエア４２のことを第二のプレゼンソフト３２と略記している。また、以下の説明では、表示装置１８に出力される映像のことを第一の映像と、表示装置２８及びスクリーン５に出力される映像のことを第二の映像と称することとする。
【００２３】
第一のプレゼンソフト３２及び第二のプレゼンソフト４２は、夫々、スライドを編集し、編集されたスライドを格納したファイルを生成する機能、及び、ファイルに格納されているスライドを再生する機能を備えている。第一のプレゼンソフト３２と第二のプレゼンソフト４２は、スライドを再生する機能において互換性を有している。また、第一のプレゼンソフト３２及び第二のプレゼンソフト４２は、取り扱い（アクセス）可能なファイルについての互換性を有している。
【００２４】
以上の機能に加えて、第一のプレゼンソフト３２は、第一のプレゼンソフト３２に対して行われた操作入力（第二のプレゼンソフト４２に対して通知する必要のない操作入力）を、第二のプレゼンソフト４２に通信ケーブル３を介して通知する機能（以下、通知機能と称する）を備えている。また、第二のプレゼンソフト４２は、上記通知機能により通知されてくる操作入力を受信して、その操作入力に対応する動作を行う機能（以下、連動機能と称する）を備えている。また、第一のプレゼンソフト３２は、通知機能を動作させるかどうかをユーザに設定させる機能を備えている。また、第二のプレゼンソフト４２は、連動機能を動作させるかどうかをユーザに設定させる機能を備えている。
【００２５】
第一のプレゼンソフト３２や第二のプレゼンソフト４２によって取り扱われる上記ファイルには、例えば、メモ書きや資料などの情報を格納しておくことができる。また、第一のプレゼンソフト３２は、発表者の操作入力に応じて上記メモ書きや資料などの情報を第一の映像に含ませて表示装置１８に出力する機能（以下、この機能のことを参照機能と称する）を備えている。
【００２６】
また、第一のプレゼンソフト３２は、上記ファイルに新たな情報を追記する機能（以下、追記機能）を備えている。この追記機能を利用することで、発表者は、例えば、プレゼンテーション中にふと思いついた事や聴衆から受け付けた質問などを、いつでも上記ファイルに追記して書き留めておくことができる。
【００２７】
なお、第一のプレゼンソフト３２は、第一のプレゼンソフト３２に対して参照機能や追記機能に関する操作入力（特定の操作入力）が行われた場合でも、その操作入力を第二のプレゼンソフト４２には通知しない。このため、参照機能や追記機能に関する操作入力（特定の操作入力）が行われた場合でも、そのための操作を行っている様子やメモ書きや資料の内容が、第二のパソコン２０の表示装置２８やスクリーン５に第二の映像として出力されてしまうことがない。このため、発表者は、聴衆に見苦しい印象を与えることなく、メモ書きや資料などの情報をプレゼンテーション中に簡便に参照することができる。また、情報を不必要に聴衆に見られてしまうこともない。
【００２８】
次に、以上に説明したプレゼンテーションシステム１を使って行われるプレゼンテーション方法について、図４に示すフローチャートとともに詳述する。プレゼンテーションに際し、発表者は、スライドを格納したファイルを第一のパソコン１０及び第二のパソコン２０のハードディスク１３，２３にあらかじめ複製しておく（Ｓ４１１）。プレゼンテーションを開始する場合には、発表者は、第一のパソコン１０において、第一のプレゼンソフト３２を起動し、また、第二のパソコン２０において、第二のプレゼンソフト４２を起動する（Ｓ４１２）。そして、発表者は、起動した第一のプレゼンソフト３２及び第二のプレゼンソフト４２によって上記ファイルを開く（Ｓ４１３）。次に、発表者は、第一のプレゼンソフト３２に対し、上述の通知機能を動作させるための設定を行う。また、第二のプレゼンソフト４２に対し、上述の連動機能を動作させるための設定を行う（Ｓ４１４）。
【００２９】
以上の作業が行われた時点で、第一のパソコン１０の表示装置１８及び第二のパソコン２０の表示装置２８及びスクリーン５には、全く同じ内容のスライドの映像が出力される。図５はこの時点で表示装置１８、表示装置２８、及びスクリーン５に出力される映像の一例である。この映像は、第一のファイル（もしくは第二のファイル）に格納されている一連のスライドのうち先頭に配列されているスライドの映像である。
【００３０】
次に、発表者は、プレゼンテーションを開始する（Ｓ４１５）。上述した通信機能や連動機能によって、プレゼンテーション中においては、発表者が第一のパソコン１０に対して操作入力を行うだけで第一の映像及び第二の映像の双方が同時に制御される。図６は、プレゼンテーション中において、発表者が第一のパソコン１０の入力装置１７を操作することにより、第一のプレゼンソフト３２に対して第一の映像の制御に関する操作入力を行った場合の処理を説明するフローチャートである。
【００３１】
発表者が第一のパソコン１０の入力装置１７に対して第一の映像の制御に関する操作入力を行うと（Ｓ６１１：ＹＥＳ）、第一のプレゼンソフト３２は、その操作入力に応じて第一の映像を制御する。また、このとき、第一のプレゼンソフト３２は、上記操作入力を第二のプレゼンソフト４２に通知する（Ｓ６１２）。操作入力は、例えば、図５に示す次画面ボタン５０１や前画面ボタン５０２の選択するものである。第二のプレゼンソフト４２は、通知されてくる操作入力に応じた制御を第二の映像について実行する（Ｓ６１３）。
【００３２】
上述したように、第一のプレゼンソフト３２と第二のプレゼンソフト４２とは、スライドを再生する機能についての互換性を有している。つまり、第二のプレゼンソフト４２は、第一の映像について行われた制御と同じ内容の制御を第二の映像について実行する。ここで第一のプレゼンソフト３２が開いている第一のファイルと第二のプレゼンソフト４２が開いている第二のファイルは同一のファイルである。従って、第一映像として出力されるスライドと第二の映像として出力されるスライドをあらかじめ一致させておけば、表示装置１８に第一の映像として出力されているスライドと、表示装置２８及びスクリーン５に第二の映像として出力されているスライドとは、常に一致していることになる。
【００３３】
第一のプレゼンソフト３２及び第二のプレゼンソフト４２は、ユーザが第一のプレゼンソフト３２に対して所定の操作入力を行うことで、夫々、第一の映像及び第二の映像として出力しているスライドを一致させる機能（以下、同期機能と称する）を備えている。この同期機能の動作中は、ユーザが第一のプレゼンソフト３２に対して所定の操作入力を行うと、第一のプレゼンソフト３２から第二のプレゼンソフト４２に対して第一のプレゼンソフト３２が第一の映像として現在出力しているスライドを特定する情報が通知される。第二のプレゼンソフト４２は、上記通知があると、第二の映像として上記情報により特定されるスライドを出力する。
【００３４】
プレゼンテーション中において、発表者は、第一のパソコン１０に対して所定の操作入力（特定の操作入力）を行って上述した参照機能を利用することで、メモ書きや資料などの情報を随時参照することができる。図７は、参照機能によって第一の映像として表示されているスライドとともに、メモ書きや資料などの情報が表示されている様子を示である。同図において、メモ書きや資料などの情報は符号７０１で示す枠内に表示される。また、プレゼンテーション中は、発表者は、第一のパソコン１０において動作する第一のプレゼンソフト３２以外の別のソフトウエアを利用して、メモ書きや資料などの情報を参照することもできる。上述した追記機能を利用することで、発表者は、プレゼンテーション中に思いついた事や聴衆から受け付けた質問などの情報を上記ファイルにいつでも追記して書き留めておくことができる。追記機能によれば、発表者が上記枠内にそれらの情報を入力すると、第一のプレゼンソフト３２により、入力された情報が上記ファイルに追記される。上述したように、参照機能や追記機能に関する操作入力（特定の操作入力）が行われた場合でも、そのための操作を行っている様子やメモ書きや資料の内容が、第二のパソコン２０の表示装置２８やスクリーン５に第二の映像として出力されてしまうことがない。このため、発表者は、聴衆に見苦しい印象を与えることなく、メモ書きや資料などの情報をプレゼンテーション中に簡便に参照することができる。また、情報を不必要に聴衆に見られてしまうこともない。
【００３５】
なお、プレゼンテーションの終了後は、第一のプレゼンソフト３２及び第二のプレゼンソフト４２に対して所定の操作が行なわれ、通知機能や連動機能が停止される（図４のＳ４１６）。
【００３６】
以上に説明したように、本発明のプレゼンテーションシステム１によれば、発表者は、資料やメモ書きを参照するための操作を行っている様子や、資料やメモ書きの内容などを聴衆に見せることなく、メモ書きや資料などを参照することができる。従って、聴衆に見苦しい印象を与えることなく、メモ書きや資料などの情報を発表者がプレゼンテーション中に簡便に参照することができる。また、本発明のプレゼンテーションシステム１は、例えば、市販のプレゼンソフトのアドイン機能などにより通知機能や連動機能を組み込むことで、容易に実現することができる。
【００３７】
以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【００３８】
例えば、第一のパソコン１０や第二のパソコン２０としてＰＤＡ（Personal Digital Assistant）や携帯型電話機などを用いることができる。また、第一のパソコン１０や第二のパソコン２０は、ＵＳＢ以外にも、ＬＡＮ（Local Area Network）やＲＳ−２３２Ｃなどで接続することができる。また、その通信方式としては、有線方式、もしくは、無線方式のいずれをも採用することができる。また、本発明は、一台の第一のパソコン１０に複数台の第二のパソコン２０を接続する場合にも適用することができる。
【図面の簡単な説明】
【００３９】
【図１】本発明の一実施形態として説明するプレゼンテーションシステム１の構成を示す図である。
【図２】本発明の一実施形態として説明するプレゼンテーションシステム１を構成している第一のパソコン１０及び第二のパソコン２０のハードウエア構成を示す図である。
【図３】本発明の一実施形態として説明する第一のパソコン１０及び第二のパソコン２０において動作するソフトウエアを説明する図である。
【図４】本発明の一実施形態として説明するプレゼンテーションシステム１を使って行われるプレゼンテーション方を説明するフローチャートである。
【図５】本発明の一実施形態として説明する表示装置１８、表示装置２８、及びスクリーン５に表示される映像の一例を示す図である。
【図６】本発明の一実施形態として説明する第一のプレゼンソフト３２に対して第一の映像の制御に関する操作入力を行った場合に行われる処理を説明するフローチャートを示す図である。
【図７】本発明の一実施形態として説明する第一のパソコン１０の表示装置１８に参照情報が表示されている様子を示す図である。
【符号の説明】
【００４０】
１  プレゼンテーションシステム      ３  通信ケーブル
５  スクリーン                      ６  ディスプレイケーブル
１０  第一のパソコン                １１  ＣＰＵ
１４  通信インタフェース            １７  入力装置
１８  表示装置                      ２０  第二のパソコン
２１  ＣＰＵ                        ２６  表示インタフェース
２７  入力装置                      ２８  表示装置
３０  プロジェクタ                  ３２  第一のプレゼンソフト
４２  第二のプレゼンソフト
【図１】
2005345636.tif 000003
【図２】
2005345636.tif 000004
【図３】
2005345636.tif 000005
【図４】
2005345636.tif 000006
【図５】
2005345636.tif 000007
【図６】
2005345636.tif 000008
【図７】
2005345636.tif 000009